(57)【特許請求の範囲】
【請求項１】
レンズ体を保持可能な筒状のレンズ保持部材と、
内側部分及び外側部分を有するとともに、該レンズ保持部材に前記内側部分が固定され前記レンズ保持部材を光軸方向に移動可能に支持する板ばねと、
該板ばねの前記外側部分が固定される固定側部材と、
前記レンズ保持部材を光軸方向に沿って移動させる少なくとも磁石及びコイルを有して構成される駆動機構と、を備えたレンズ駆動装置において、
前記板ばねの前記内側部分は、前記レンズ保持部材の光軸方向における一端部に固定されており、
前記コイルは、前記レンズ保持部材の光軸方向における前記一端部と他端部との間の外周に導電性の線材が巻かれて形成された巻回部と、該巻回部の端部に繋がる延在部と、を有し、
前記レンズ保持部材の前記一端部側における外周には、切欠部を有する鍔状部が設けられており、
該鍔状部の一面側に前記巻回部が配設されるとともに、前記鍔状部の他面側には前記延在部の一部を保持する保持部が設けられ、
前記鍔状部には、前記切欠部の前記一面側のエッジ部分に形成された弾性変形部が設けられており、
前記弾性変形部は、前記鍔状部と一体で形成されているとともに、前記鍔状部よりも肉薄に形成された薄肉部を有し、
前記保持部に前記一部が保持された前記延在部は、前記切欠部を介して前記巻回部側に延在しているとともに、前記弾性変形部に当接して設けられていることを特徴とするレンズ駆動装置。
【請求項２】
前記薄肉部は、前記鍔状部に向かうにしたがって肉厚寸法が厚くなる連結部によって前記鍔状部に繋がっており、
該連結部が隣接し互いに交差する二辺に位置するように設けられていることを特徴とする請求項１に記載のレンズ駆動装置。
【請求項３】
前記弾性変形部に当接して設けられる前記延在部は、前記巻回部の内周側に位置する当該巻回部の前記端部に繋がっていることを特徴とする請求項１又は請求項２に記載のレンズ駆動装置。
【請求項４】
前記延在部と前記板ばねの前記内側部分とが、導電性接着剤で電気的に接続されていることを特徴とする請求項１ないし請求項３のいずれかに記載のレンズ駆動装置。
【請求項５】
前記保持部は、前記鍔状部の前記他面から光軸方向に突出する突出部からなり、
前記延在部は、前記鍔状部の前記他面と前記内側部分との間に延在する接続部と、
前記突出部に巻き付けられる巻き付け部と、を有し、
前記接続部及び前記巻き付け部と前記内側部分とが、前記導電性接着剤によって電気的に接続されていることを特徴とする請求項４に記載のレンズ駆動装置。
【発明の詳細な説明】
【技術分野】
【０００１】
本発明は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、小型化の要求に加え、精度良くレンズ体（鏡筒）を駆動させるという要求が高まってきた。この２つの要求を満たすべきレンズ駆動装置として、レンズ体を保持するレンズホルダ（レンズ保持部材）を駆動するための磁気回路をレンズホルダの四方に設けたものが良く知られている。
【０００３】
このようなレンズ駆動装置として、特許文献１（従来例）では、図１４及び図１５に示すようなレンズ駆動装置９０１が提案されている。図１４は、従来例のレンズ駆動装置９０１の分解斜視図である。図１５は、従来例のレンズ駆動装置９０１を説明する図であって、図１５（ａ）は、レンズホルダ９０３にコイル９０５が巻回された状態を下方側から見た斜視図であり、図１５（ｂ）は、図１５（ａ）に示すＺ部分における断面図である。
【０００４】
図１４に示すレンズ駆動装置９０１は、装置の底面部を構成するベース部材９０２と、図示しないレンズ体を保持し光軸方向へ移動可能なレンズホルダ９０３と、レンズホルダ９０３を光軸方向へ移動させる移動機構（４つの磁石９０４、コイル９０５及びヨーク９０６）と、レンズホルダ９０３をベース部材９０２及びヨーク９０６に弾性的に固定する上下に配設された板ばね（下側板ばね９０７及び上側板ばね９０８）と、上側板ばね９０８をヨーク９０６に固定するカバー部材９０９と、を備えて構成される。なお、移動機構のヨーク９０６はベース部材９０２と係合されて固定され、移動機構の磁石９０４はヨーク９０６に固定されている。一方、移動機構のコイル９０５はレンズホルダ９０３に巻回されてレンズホルダ９０３とともに移動可能になっている。そして、レンズ駆動装置９０１は、下側板ばね９０７を介してコイル９０５に所定の電流を流し、移動機構で生じる電磁力により、光軸方向に沿ってレンズホルダ９０３を移動させるものである。
【０００５】
また、従来例のレンズ駆動装置９０１では、コイル９０５は、図１５（ａ）に示すように、レンズホルダ９０３の下端部側（図１５（ａ）では上側であるＺ２側）に設けられた鍔状部９３５と、レンズホルダ９０３の上端部側（図１５（ａ）では下側であるＺ１側）に設けられた位置決め片９３２と、の間に配設されて、レンズホルダ９０３の径方向外側に突出した保持片９３１（図１４を参照）に巻回されている。また、図１５（ｂ）に示すように、コイル９０５の両端部９０５ｔは、鍔状部９３５の下面から延設された突出片９３８（絡げ部）にそれぞれ絡げられて固定されている。
【先行技術文献】
【特許文献】
【０００６】
【特許文献１】特開２０１２−８３７２０号公報
【発明の概要】
【発明が解決しようとする課題】
【０００７】
しかしながら、従来例の構成では、鍔状部９３５の下面に設けられた突出片９３８に絡げられたコイル９０５は、図１５に示す切欠部９３５ｋを通って鍔状部９３５の反対面側に引き出されている。このため、落下等により強い衝撃がレンズ駆動装置９０１に加えられた際には、コイル９０５が切欠部９３５ｋのエッジに強く押し付けられ、場合によっては、コイル９０５が断線する虞れがあった。
【０００８】
本発明は、上述した課題を解決するもので、強い衝撃が加えられた場合でも、コイルが断線し難いレンズ駆動装置を提供することを目的とする。
【課題を解決するための手段】
【０００９】
この課題を解決するために、本発明のレンズ駆動装置は、レンズ体を保持可能な筒状のレンズ保持部材と、内側部分及び外側部分を有するとともに、該レンズ保持部材に前記内側部分が固定され前記レンズ保持部材を光軸方向に移動可能に支持する板ばねと、該板ばねの前記外側部分が固定される固定側部材と、前記レンズ保持部材を光軸方向に沿って移動させる少なくとも磁石及びコイルを有して構成される駆動機構と、を備えたレンズ駆動装置において、前記板ばねの前記内側部分が、前記レンズ保持部材の光軸方向における一端部に固定されており、前記コイルが、前記レンズ保持部材の光軸方向における前記一端部と他端部との間の外周に導電性の線材が巻かれて形成された巻回部と、該巻回部の端部に繋がる延在部と、を有し、前記レンズ保持部材の前記一端部側における外周には、切欠部を有する鍔状部が設けられており、該鍔状部の一面側に前記巻回部が配設されるとともに、前記鍔状部の他面側には前記延在部の一部を保持する保持部が設けられ、前記鍔状部には、前記切欠部の前記一面側のエッジ部分に形成された弾性変形部が設けられており、前記弾性変形部は、前記鍔状部と一体で形成されているとともに、前記鍔状部よりも肉薄に形成された薄肉部を有し、前記保持部に一部が保持された前記延在部が、前記切欠部を介して前記巻回部側に延在しているとともに、前記弾性変形部に当接して設けられていることを特徴としている。
【００１０】
これによれば、本発明のレンズ駆動装置は、落下等により強い衝撃がレンズ駆動装置に加えられた際には、コイルの延在部がレンズ保持部材の弾性変形部に押し付けられるようになる。このため、この弾性変形部が、弾性変形して延在部にかかる衝撃を吸収することとなる。このことにより、延在部が切欠部のエッジで切断され難いものとすることができ、コイルが断線し難いレンズ駆動装置を提供することができる。また、弾性変形部が鍔状部と一体で形成されているので、例えば射出成形等を用いて形成することができる。しかも、鍔状部よりも肉薄に形成された薄肉部を、別部品を用いることなく、切欠部の一部を塞ぐように配設することができる。このことにより、容易に弾性変形部を形成することができる。
【００１３】
また、本発明のレンズ駆動装置は、前記薄肉部が前記鍔状部に向かうにしたがって肉厚寸法が厚くなる連結部によって前記鍔状部に繋がっており、該連結部が隣接し互いに交差する二辺に位置するように設けられていることを特徴としている。
【００１４】
これによれば、落下等により強い衝撃がレンズ駆動装置に加えられて、コイルの延在部が弾性変形部に強く押し付けられたとしても、薄肉部を二辺（連結部）で支えて衝撃を受けることができる。このことにより、弾性変形部の薄肉部が鍔状部から破断して脱落するのを防止することができる。
【００１５】
また、本発明のレンズ駆動装置は、前記弾性変形部に当接して設けられる前記延在部が前記巻回部の内周側に位置する当該巻回部の前記端部に繋がっていることを特徴としている。
【００１６】
これによれば、巻回部の内周側に位置する一方の延在部（コイルの巻初め側に繋がっている延在部）は、巻回部の外周側に位置する他方の延在部（コイルの巻終わり側に繋がっている延在部）と比較して、切欠部のエッジ部分での屈曲角度が狭くなっている。このため、コイルの巻き始め側の延在部と切欠部のエッジ部分とが当接する力がより強くなるので、この部分に弾性変形部を設けることで、切欠部のエッジ部分から延在部に力が加わるのをより効果的に緩和することができる。このことにより、落下等で強い衝撃がレンズ駆動装置に加わった場合でも、巻回部の内周側に繋がる延在部が切欠部のエッジで切断され難いものとすることができる。
【００１７】
また、本発明のレンズ駆動装置は、前記延在部の一部と前記板ばねの前記内側部分とが導電性接着剤で電気的に接続されていることを特徴としている。
【００１８】
これによれば、延在部の一部と板ばねの内側部分とが、合成樹脂中に導電性フィラーが分散した導電性接着剤で電気的に接続されているので、半田でしっかり固定して接続する場合と比較して、接続部分の導電性接着剤層の弾性が高いため、延在部の僅かな可動を許容している。このため、延在部に引張力が働いた際に、延在部の可動で、この引張力を緩和することができる。このことにより、落下等で強い衝撃がレンズ駆動装置に加わった場合でも、延在部が切欠部のエッジでより一層切断され難いものとすることができる。
【００１９】
また、本発明のレンズ駆動装置は、前記保持部が前記鍔状部の前記他面から光軸方向に突出する突出部からなり、前記延在部が、前記鍔状部の前記他面と前記内側部分との間に延在する接続部と、前記突出部に巻き付けられる巻き付け部と、を有し、前記接続部及び前記巻き付け部と前記内側部分とが、前記導電性接着剤によって電気的に接続されていることを特徴としている。
【００２０】
これによれば、延在部の接続部及び巻き付け部が、導電性接着剤によって板ばねの内側部分に電気的に接続されるので、コイルと板ばねとの電気的な接続に関わる導通面積を増やすことができる。このことにより、コイルと板ばねとの導通抵抗を小さくして両者を導通させることができる。
【発明の効果】
【００２１】
本発明のレンズ駆動装置は、落下等により強い衝撃がレンズ駆動装置に加えられた際には、コイルの延在部がレンズ保持部材の弾性変形部に押し付けられるようになる。このため、この弾性変形部が、弾性変形して延在部にかかる衝撃を吸収することとなる。このことにより、延在部が切欠部のエッジで切断され難いものとすることができ、コイルが断線し難いレンズ駆動装置を提供することができる。
【図面の簡単な説明】
【００２２】
【図１】本発明の第１実施形態のレンズ駆動装置を説明する分解斜視図である。
【図２】本発明の第１実施形態のレンズ駆動装置を説明する図であって、図２（ａ）は、上方斜視図であり、図２（ｂ）は、図２（ａ）に示すＹ２側から見た正面図である。
【図３】本発明の第１実施形態のレンズ駆動装置を説明する図であって、図３（ａ）は、図２に示すＺ１側から見た上面図であり、図３（ｂ）は、図２に示すＺ２側から見た底面図である。
【図４】本発明の第１実施形態のレンズ駆動装置を説明する図であって、図４（ａ）は、図２（ａ）に示すヨークを省略した上方斜視図であり、図４（ｂ）は、図２（ｂ）に示すヨークを省略した正面図である。
【図５】本発明の第１実施形態のレンズ駆動装置を説明する図であって、図５（ａ）は、レンズ保持部材の上方斜視図であり、図５（ｂ）は、図５（ａ）のレンズ保持部材にコイルが巻かれた状態を示す上方斜視図である。
【図６】本発明の第１実施形態のレンズ駆動装置を説明する図であって、図６（ａ）は、レンズ保持部材の下方斜視図であり、図６（ｂ）は、図６（ａ）のレンズ保持部材にコイルが巻かれた状態を示す下方斜視図である。
【図７】本発明の第１実施形態のレンズ駆動装置に係わるレンズ保持部材を説明する図であって、図７（ａ）は、図５（ａ）に示すＸ２側から見たレンズ保持部材の側面図であり、図７（ｂ）は、図７（ａ）に示すＲ部分の拡大側面図であり、図７（ｃ）は、図７（ｂ）を下方側から見た下方斜視図である。
【図８】本発明の第１実施形態のレンズ駆動装置を説明する図であって、図８（ａ）は、図６（ａ）に示すレンズ保持部材をＸ２側から見た下方斜視図であり、図８（ｂ）は、図８（ａ）に示すレンズ保持部材にコイルが巻かれた状態を示す下方斜視図である。
【図９】本発明の第１実施形態のレンズ駆動装置に係わるレンズ保持部材を説明する図であって、図９（ａ）は、図８（ｂ）に示すＱ部分の拡大下方斜視図であり、図９（ｂ）は、図６（ｂ）に示すＰ部分の拡大下方斜視図である。
【図１０】本発明の第１実施形態のレンズ駆動装置を説明する図であって、図１０（ａ）は、端子及びベース部材を省略した底面図であり、図１０（ｂ）は、図１０（ａ）に更に下側板ばね及びレンズ保持部材を省略した底面図である。
【図１１】本発明の第１実施形態に係わるレンズ駆動装置の板ばねを説明する図であって、図１１（ａ）は、上側板ばねの上面図であり、図１１（ｂ）は、下側板ばねの上面図である。
【図１２】本発明の第１実施形態のレンズ駆動装置における板ばねとコイルとの接続状態を説明する図であって、図１２（ａ）は、図１０（ａ）に示すＳ部分の拡大底面図であり、図１２（ｂ）は、図１０（ａ）に示すＳ部分をＸ２側から見た板ばね、コイル及びレンズ保持部材の拡大側面図である。
【図１３】本発明の第１実施形態に係わるレンズ駆動装置の固定側部材を説明する図であって、図１３（ａ）は、ベース部材の上方斜視図であり、図１３（ｂ）は、ベース部材に下側板ばねを組み付けた上方斜視図である。
【図１４】従来例のレンズ駆動装置の分解斜視図である。
【図１５】従来例のレンズ駆動装置を説明する図であって、図１５（ａ）は、レンズホルダにコイルが巻回された状態を下方側から見た斜視図であり、図１５（ｂ）は、図１５（ａ）に示すＺ部分における断面図である。
【発明を実施するための形態】
【００２３】
以下、本発明の実施の形態について図面を参照して説明する。
【００２４】
［第１実施形態］
図１は、本発明の第１実施形態のレンズ駆動装置１０１を説明する分解斜視図である。図２（ａ）は、レンズ駆動装置１０１の上方斜視図であり、図２（ｂ）は、図２（ａ）に示すＹ２側から見たレンズ駆動装置１０１の正面図である。図３（ａ）は、図２に示すＺ１側から見たレンズ駆動装置１０１の上面図であり、図３（ｂ）は、図２に示すＺ２側から見たレンズ駆動装置１０１の底面図である。図４（ａ）は、図２（ａ）に示すヨーク４を省略した上方斜視図であり、図４（ｂ）は、図２（ｂ）に示すヨーク４を省略した正面図である。
【００２５】
本発明の第１実施形態のレンズ駆動装置１０１は、図２及び図３に示すような直方体形状の外観を呈し、図１及び図４に示すように、図示していないレンズ体を保持可能なレンズ保持部材２と、レンズ保持部材２を光軸方向ＪＤ（図２に示すＺ方向）に沿って上下に移動させる駆動機構ＭＫと、レンズ保持部材２を光軸方向ＪＤに移動可能に支持する板ばね６と、板ばね６が固定される固定側部材ＲＧと、を備えて構成される。他に、本発明の第１実施形態のレンズ駆動装置１０１は、外部と電気的に接続するための端子７を有している。
【００２６】
また、本発明の第１実施形態のレンズ駆動装置１０１では、駆動機構ＭＫは、図１に示すように、８角形の環状に巻かれたコイル３と、矩形状で箱状の外側ケースを兼ねたヨーク４と、コイル３の四辺と対向して配設された４つの磁石５と、を備えて構成される。また、板ばね６は、図１に示すように、レンズ保持部材２とヨーク４との間に配設される上側板ばね１６と、レンズ保持部材２とベース部材１８との間に配設される２つの下側板ばね（２６Ａ、２６Ｂ）と、から構成されている。また、固定側部材ＲＧは、図１に示す端子７が埋め込まれたベース部材１８から主に構成されている。
【００２７】
このレンズ駆動装置１０１は、レンズが保持されたレンズ体（図示していない）がレンズ保持部材２に固定されて、図示していない撮像素子を実装した基板上に取り付けられる。そして、レンズ駆動装置１０１は、基板からの電源よりコイル３に通電されて、駆動機構ＭＫで生じる電磁力により、撮像素子の上方に配置されるレンズ保持部材２をレンズの光軸方向ＪＤ（図２に示すＺ方向）に沿って移動させるものである。つまり、レンズ駆動装置１０１は、撮像素子に対して、レンズ体のレンズを離れる方向に移動させてマクロ撮影を可能にし、レンズ体のレンズを近づける方向に移動させて無限遠撮影を可能にしている。なお、光軸方向ＪＤは、筒状をしているレンズ体（レンズバレル）の中心軸線方向に沿ったものとなっている。
【００２８】
次に、レンズ駆動装置１０１の各構成部材に関して、図面を用いて詳細に説明する。先ず、レンズ保持部材２と駆動機構ＭＫについて説明する。図５（ａ）は、レンズ保持部材２の上方斜視図であり、図５（ｂ）は、図５（ａ）のレンズ保持部材２にコイル３が巻かれた状態を示す上方斜視図である。図６（ａ）は、レンズ保持部材２の下方斜視図であり、図６（ｂ）は、図６（ａ）のレンズ保持部材２にコイル３が巻かれた状態を示す下方斜視図である。図７（ａ）は、図５（ａ）に示すＸ２側から見たレンズ保持部材２の側面図であり、図７（ｂ）は、図７（ａ）に示すＲ部分の拡大側面図であり、図７（ｃ）は、図７（ｂ）を下方側から見た下方斜視図である。図８（ａ）は、図６（ａ）に示すレンズ保持部材２をＸ２側から見た下方斜視図であり、図８（ｂ）は、図８（ａ）に示すレンズ保持部材２にコイル３が巻かれた状態を示す下方斜視図である。図９（ａ）は、図８（ｂ）に示すＱ部分の拡大下方斜視図であり、図９（ｂ）は、図６（ｂ）に示すＰ部分の拡大下方斜視図である。図１０（ａ）は、端子７（後述する接続部材５７も含む）及びベース部材１８を省略した底面図であり、図１０（ｂ）は、図１０（ａ）に更に下側板ばね２６Ａ、下側板ばね２６Ｂ及びレンズ保持部材２を省略した底面図である。
【００２９】
先ず、レンズ駆動装置１０１のレンズ保持部材２について説明する。レンズ保持部材２は、液晶ポリマー（ＬＣＰ、Liquid Crystal Polymer）等の合成樹脂を用いて射出成形して作製されており、図５及び図６に示すように、筒状に形成されており、円形で内周面と外周面を有した筒部１２と、光軸方向ＪＤにおける一端部側である下部側（図７（ａ）に示すＺ２方向側）に形成された鍔状部５２と、から主に構成されている。
【００３０】
先ず、レンズ保持部材２の筒部１２は、図５に示すように、内周面にねじ溝が設けられており、図示していないレンズ体が係合されて装着される。また、筒部１２には、その上部に位置する他端部側（図５に示すＺ１方向側である上端側）に２つの凹状の窪みを有した台座部１２ｄが対向して２ヶ所に設けられている（図５に示すＸ方向の２箇所）。この台座部１２ｄには、図４（ａ）に示すように、上側板ばね１６の内側部分（具体的には後述する第１部分１６ａ）が載置される。
【００３１】
また、筒部１２の外周面には、図５に示すように、コイル３を内側から支持するコイル支持部１２ｊが四方に均等に４箇所設けられている。また、このコイル支持部１２ｊの上端側には、図５に示すように、鍔状部５２と対向して径方向外側に突出した庇部１２ｈ（図７（ａ）を参照）が４箇所形成されている。そして、図５（ｂ）に示すように、コイル３（具体的には、後述する巻回部１３）がコイル支持部１２ｊに支持され庇部１２ｈ及び鍔状部５２に挟まれるようにして、レンズ保持部材２の外周面側に８角形状で巻かれている。
【００３２】
次に、レンズ保持部材２の鍔状部５２は、筒部１２の下部に位置する一端部側（図６に示すＺ２方向側である下端側）における外周（外周面）から径方向外側に突出して形成されている。そして、前述したように、鍔状部５２の一面側（上面側）にコイル３が配設されている。
【００３３】
鍔状部５２には、図５及び図６に示すように、鍔状部５２の一面側（図５に示すＺ１方向側）と他面側（図５に示すＺ２方向側）を貫通して切り欠かれた切欠部５２ｋが対向して２箇所形成されている。この切欠部５２ｋには、図６（ｂ）及び図８（ｂ）に示すように、コイル３の巻始め側と巻終わり側の部分（具体的には、後述する延在部３３の挿通部３３ｋ）が挿通されている。
【００３４】
また、鍔状部５２には、図７及び図８に示すように、切欠部５２ｋの一部を塞ぐように形成された弾性変形部６２が設けられており、本発明の第１実施形態では、鍔状部５２と一体で形成されている。これにより、レンズ保持部材２を射出成形で形成する際に、別部品を用いることなく弾性変形部６２を同時に形成できるので、容易に弾性変形部６２を作製することができる。
【００３５】
弾性変形部６２は、図７（ｂ）及び図７（ｃ）に示すように、鍔状部５２よりも肉薄に形成された薄肉部６２ｑと、鍔状部５２に向かうにしたがって肉厚寸法が厚くなる連結部６２ｒと、から構成されており、この連結部６２ｒが隣接し互いに交差する二辺に位置するように設けられて、薄肉部６２ｑの二辺と繋がっているとともに、鍔状部５２に繋がっている。これにより、肉薄に形成された薄肉部６２ｑを確実に支えることができる。
【００３６】
鍔状部５２の他面側（下面側）には、図６及び図８に示すように、その他面（下面）から光軸方向ＪＤ（下方向）に突出した、角形凸状の２つの保持部（突出部）７２と、丸形凸状の６つの突設部２ｔと、三方の壁部（内側壁部８２ｕ、外側壁部８２ｖ、側壁部８２ｗ）で形成された突堤部８２と、が設けられている。
【００３７】
保持部７２は、図６（ｂ）及び図８（ｂ）に示すように、コイル３の巻始め及び巻終わりに対応して、２つ設けられており、保持部７２には、コイル３（延在部３３）の両端側の一部が絡げられて保持されている（図９を参照）。なお、説明を分かり易くするため、図１０（ｂ）に示すように、コイル３の巻き始め側でコイル３の一部を保持している保持部７２を保持部７２Ａとし、コイル３の巻き終わり側でコイル３の一部を保持している保持部７２を保持部７２Ｂとして、以下説明する。
【００３８】
突設部２ｔは、図１０（ａ）に示すように、下側板ばね２６Ａ及び下側板ばね２６Ｂのそれぞれに対応して、各々３つ設けられており、突設部２ｔには、下側板ばね２６Ａ及び下側板ばね２６Ｂの内側部分（具体的には後述する第３部分２６ｃ）が装着されて固定されている。なお、下側板ばね２６Ａ及び下側板ばね２６Ｂの内側部分の固定は突設部２ｔを熱かしめすることによって行われているので、図６ないし図９及び図１０（ａ）では、突設部２ｔは、熱かしめされた後の先端が変形した状態で図示されている。
【００３９】
突堤部８２は、板ばね６（下側板ばね２６Ａ、下側板ばね２６Ｂ）の内側部分と光軸方向ＪＤにおいて離間して対向する対向部に設けられており（後述する図１２を参照）、図９に示すように、レンズ保持部材２の中心側に位置する内側壁部８２ｕと、内側壁部８２ｕと対向して外側に位置する外側壁部８２ｖと、保持部７２が設けられた一方側で内側壁部８２ｕと外側壁部８２ｖとの間に位置する側壁部８２ｗと、から構成されている。また、突堤部８２の保持部７２と離間した他方側は、壁部が切り欠かれた開放部８２ｚとなっている。そして、三方の壁部（内側壁部８２ｕ、外側壁部８２ｖ、側壁部８２ｗ）で囲われた空間が収容部８２ｓとなっている。なお、本発明の第１実施形態では、突堤部８２が保持部７２と隣り合う位置に形成されているので、保持部７２の側壁を突堤部８２の側壁部８２ｗとして好適に利用している。従って、保持部７２と隣り合う位置に、突堤部８２で形成された収容部８２ｓが隣接された状態で設けられている。
【００４０】
次に、レンズ駆動装置１０１の駆動機構ＭＫについて説明する。駆動機構ＭＫは、図１０（ｂ）に示すように、８角形の角度を有して環状に巻かれたコイル３と、外側ケースを兼ねた矩形状で箱状のヨーク４と、コイル３の四辺と対向して配設された４つの磁石５と、を備えて構成される。そして、駆動機構ＭＫは、コイル３に流れる電流と磁石５から発生する磁界とで駆動力（推力）を発生させ、レンズ保持部材２を光軸方向ＪＤに沿って上下に移動させている。
【００４１】
先ず、駆動機構ＭＫのコイル３について説明する。コイル３は、図５（ｂ）に示すように、レンズ保持部材２の光軸方向ＪＤ（図２に示すＺ方向）における一端部（下端部）と他端部（上端部）との間の外周に導電性の線材を巻回して形成されており、図１に示すように、８角形の角度を有して巻かれて形成された巻回部１３と、巻回部１３の両側の端部に繋がる延在部３３と、を有して構成されている。なお、図１及び図５（ｂ）に代表されるコイル３では、導電性の線材は絶縁部材で表面を被覆していることもあり、巻回部１３における導電性の線材の詳細な巻回状態を省略して示している。
【００４２】
次に、コイル３の各構成要素について、レンズ保持部材２にコイル３の線材を巻回する方法を交えながら、詳細に説明する。なお、説明を分かり易くするため、図１０（ｂ）に示すように、コイル３の巻き始め側で巻回部１３の内周側に位置する巻回部１３の端部に繋がっている延在部３３を延在部３３Ａとし、コイル３の巻き終わり側で巻回部１３の外周側に位置する巻回部１３の端部に繋がっている延在部３３を延在部３３Ｂとして、以下説明する。
【００４３】
先ず、コイル３の延在部３３（３３Ａ、３３Ｂ）は、図９に示すように、保持部（突出部）７２（７２Ａ、７２Ｂ）に巻き付けられる巻き付け部３３ｍと、収容部８２ｓの内底面（対向部）と対向して延在している接続部３３ｃと、切欠部５２ｋに挿通されて鍔状部５２の一面側と他面側に延在している挿通部３３ｋと、を有して構成されている。
【００４４】
そして、先ずコイル３の線材を巻き始める際には、コイル３の延在部３３Ａをレンズ保持部材２の保持部７２Ａに絡げるようにする。図９（ａ）に示す例では、コイル３の線材の一部が保持部７２Ａに３ターン巻き付けられている。これにより、巻き付け部３３ｍが保持部７２Ａに形成され、延在部３３Ａの一部が保持部７２Ａに保持されることとなる。
【００４５】
次に、線材を絡げた巻き付け部３３ｍから線材を引き出して、レンズ保持部材２の外周に線材を巻回する。その際には、図９（ａ）に示すように、巻き付け部３３ｍから引き出された線材が、収容部８２ｓの内底面（対向部）と対向するとともに、壁部が切り欠かれた開放部８２ｚに挿通される。更に、線材は、鍔状部５２の他面側から鍔状部５２の切欠部５２ｋを介して鍔状部５２の一面側（コイル３の巻回部１３側）に延在している。これにより、突堤部８２（対向部）及び収容部８２ｓの内底面（対向部）と対向する部分が延在部３３Ａの接続部３３ｃとなっており、切欠部５２ｋに挿通される部分が延在部３３Ａの挿通部３３ｋとなっている。
【００４６】
また、延在部３３Ａの挿通部３３ｋは、コイル３の巻回部１３側に延在する際に、図９（ａ）に示すように、レンズ保持部材２の弾性変形部６２に当接して構成されている。これにより、落下等により強い衝撃がレンズ駆動装置１０１に加えられた際には、コイル３の延在部３３Ａがレンズ保持部材２の弾性変形部６２に押し付けられるようになる。このため、この弾性変形部６２が、弾性変形して延在部３３Ａにかかる衝撃を吸収することとなる。このことにより、延在部３３Ａが切欠部５２ｋのエッジで切断され難いものとすることができ、コイル３が断線し難いレンズ駆動装置１０１を提供することができる。
【００４７】
更に、本発明の第１実施形態では、弾性変形部６２に当接して設けられた延在部３３Ａが巻回部１３の内周側に位置する巻回部１３の端部に繋がっているので、巻回部１３の外周側に位置する他方の延在部３３Ｂ（コイル３の巻終わり側に繋がっている延在部３３Ｂ）の場合と比較して、切欠部５２ｋのエッジ部分での屈曲角度が狭くなっている。このため、コイル３の巻き始め側の延在部３３Ａと切欠部５２ｋのエッジ部分とが当接する力がより強くなるので、この部分に弾性変形部６２を設けることで、切欠部５２ｋのエッジ部分から延在部３３Ａに力が加わるのをより効果的に緩和することができる。このことにより、落下等で強い衝撃がレンズ駆動装置１０１に加わった場合でも、延在部３３Ａが切欠部５２ｋのエッジでより切断され難いものとすることができる。
【００４８】
また、前述したように、弾性変形部６２の薄肉部６２ｑが、図９（ａ）に示すように、隣接して互いに交差する二辺の位置に形成された連結部６２ｒで、鍔状部５２に繋がっているので、落下等により強い衝撃がレンズ駆動装置１０１に加えられて、コイル３の延在部３３Ａが弾性変形部６２に強く押し付けられたとしても、この薄肉部６２ｑを二辺（連結部６２ｒ）で支えて衝撃を受けることができる。このことにより、弾性変形部６２の薄肉部６２ｑが鍔状部５２から破断して脱落するのを防止することができる。特に、本発明の第１実施形態では、薄肉部６２ｑを鍔状部５２側に向かうにしたがって肉厚寸法が厚く変化している連結部６２ｒで鍔状部５２に繋げているので、肉厚の寸法を急激に変化させた形態に比べて、強い衝撃が加えられた場合に、薄肉部６２ｑの根本に加えられる応力が分散され、薄肉部６２ｑがより破断しにくくなっている。
【００４９】
次に、レンズ保持部材２の外周に巻回されたコイル３の巻回部１３は、図５（ｂ）に示すように、レンズ保持部材２の筒部１２の周囲を囲む位置に配設され、コイル支持部１２ｊ（図５（ａ）を参照）により内側から支持された状態で、コイル３の一部が庇部１２ｈと鍔状部５２に挟まれるようにして、鍔状部５２の一面側（上面側）に固定されている。そして、コイル３の巻回部１３の内周面がコイル支持部１２ｊにより等方的にバランス良く支持されるため、コイル３の中心軸とレンズ保持部材２の中心軸とが一致した状態でレンズ保持部材２に保持される。これにより、レンズ保持部材２に保持されたレンズ体のレンズの光軸とレンズ保持部材２の中心軸とを容易に一致させ易くなる。
【００５０】
最後に、レンズ保持部材２の外周への線材の巻回が終了したら、コイル３の線材（巻回部１３の巻き終わり側の端部に繋がる延在部３３Ｂ）は、図９（ｂ）に示すように、鍔状部５２の一面側から鍔状部５２の切欠部５２ｋを介して鍔状部５２の他面側に引き出される。そして、延在部３３Ｂ（線材）は、突堤部８２の開放部８２ｚに挿通されるとともに、収容部８２ｓの内底面（対向部）と対向して延在され、レンズ保持部材２の保持部７２Ｂに絡げられる。図９（ｂ）に示す例では、保持部７２Ｂに３ターン巻き付けられている。これにより、切欠部５２ｋに挿通される部分が延在部３３Ｂの挿通部３３ｋとなっており、突堤部８２（対向部）及び収容部８２ｓの内底面（対向部）と対向する部分が延在部３３Ｂの接続部３３ｃとなっている。また、巻き付け部３３ｍが保持部７２Ｂに形成され、延在部３３Ｂの一部が保持部７２Ｂに保持されることとなる。
【００５１】
以上のように構成されたレンズ保持部材２とコイル３において、保持部７２（７２Ａ、７２Ｂ）と離間した他方側に、突堤部８２の壁部が切り欠かれた開放部８２ｚが形成されており、この開放部８２ｚにコイル３の延在部３３（接続部３３ｃ）を挿通させている。このため、突堤部８２で囲まれた収容部８２ｓを設けていても、突堤部８２と延在部３３とが干渉することを回避することができ、レンズ保持部材２の対向部と板ばね６の内側部分との間隔を狭く保つことができる。このことにより、レンズ駆動装置１０１が光軸方向ＪＤに大きくなるのを抑制することができる。
【００５２】
次に、駆動機構ＭＫのヨーク４について説明する。ヨーク４は、鉄等の軟磁性体材料の板材に抜き加工や絞り加工を施して作製しており、図１に示すように、外形が収納部４ｓを有した箱状に形成されている。そして、ヨーク４は、矩形状の環状で外側に形成された外ヨーク４Ａと、外ヨーク４Ａの上端（図１に示すＺ１側）と連続して設けられた平板状の上面部４Ｂと、上面部４Ｂの一部から下方（図１に示すＺ２方向）に延設された４つの内ヨーク４Ｃと、を有して構成されている。また、内ヨーク４Ｃが形成された四隅には、上面部４Ｂより下方に位置する段差部４Ｄが設けられている。このように構成されたヨーク４は、図１０（ｂ）に示すように、コイル３及び磁石５を収納部４ｓに収容し、図２に示すように、ベース部材１８に係合されて、ベース部材１８とともに外形を構成している。
【００５３】
ヨーク４の内ヨーク４Ｃは、図３（ａ）及び図１０（ｂ）に示すように、平面視して、円弧状に形成され、外ヨーク４Ａの４つの角部に対向するように、等間隔で配設されている。また、詳細な図示はしていないが、レンズ駆動装置１０１が組み立てられた際には、内ヨーク４Ｃのそれぞれは、レンズ保持部材２の筒部１２の外周に沿って配設されるとともに、コイル３の内周面と対向して配設される。更に、内ヨーク４Ｃのそれぞれは、図１０（ｂ）に示すように、コイル３を挟んで、磁石５のそれぞれと対向する位置に配設されている。なお、ヨーク４を絞り加工で作製する際には、ヨーク４の内ヨーク４Ｃが円弧状であるので、容易に絞り加工を行うことができる。このため、ヨーク４の内ヨーク４Ｃの形状及び配設の位置の精度を高めることができる。
【００５４】
最後に、駆動機構ＭＫの磁石５について説明する。磁石５は、図１に示すように、横断面形状が台形形状で、平板状の外形をしており、４つの磁石５が、図１０（ｂ）に示すように、コイル３の外側に位置するとともに、ヨーク４の四隅に等分に配設されている。また、磁石５の台形形状における傾斜する２つの外側面は、外ヨーク４Ａに沿った形状をしている。このため、レンズ駆動装置１０１を組み立てる際に、この２つの外側面を外ヨーク４Ａに押しあてて配置することができ、磁石５の位置決めを容易に行うことができる。そして、図示はしていないが、磁石５は、ヨーク４の段差部４Ｄとの間に板ばね６（上側板ばね１６）の一部を挟持するようにして、接着剤により、ヨーク４に固定されている。
【００５５】
次に、レンズ駆動装置１０１の板ばね６及び固定側部材ＲＧについて説明する。図１１は、板ばね６を説明する図であって、図１１（ａ）は、上側板ばね１６の上面図であり、図１１（ｂ）は、下側板ばね２６Ａ及び下側板ばね２６Ｂの上面図である。図１２は、板ばね６（下側板ばね２６Ａ）とコイル３との接続状態を説明する図であって、図１２（ａ）は、図１０（ａ）に示すＳ部分の拡大底面図であり、図１２（ｂ）は、図１０（ａ）に示すＳ部分をＸ２側から見た板ばね６（下側板ばね２６Ａ）、コイル３及びレンズ保持部材２の拡大側面図である。なお、図１２には、説明を分かり易くするため、導電性接着剤ＣＡがクロスハッチングで示されている。図１３は、固定側部材ＲＧのベース部材１８を説明する図であって、図１３（ａ）は、ベース部材１８の上方斜視図であり、図１３（ｂ）は、ベース部材１８に下側板ばね２６Ａ及び下側板ばね２６Ｂを組み付けた上方斜視図である。
【００５６】
先ず、レンズ駆動装置１０１の板ばね６は、銅合金を主な材質とした金属板から作製されており、図１に示すように、レンズ保持部材２とヨーク４との間に配設される上側板ばね１６と、レンズ保持部材２とベース部材１８との間に配設される２つの下側板ばね（２６Ａ、２６Ｂ）と、から構成されている。そして、レンズ保持部材２と板ばね６のそれぞれ（上側板ばね１６、下側板ばね２６Ａ、下側板ばね２６Ｂ）が係合されて、レンズ保持部材２が光軸方向ＪＤ（図２に示すＺ方向）へ移動可能になるように、レンズ保持部材２を空中で支持している。なお、下側板ばね２６Ａ及び下側板ばね２６Ｂは、コイル３の両端側とそれぞれ電気的に接続されているので、コイル３への給電部材としても用いられる。
【００５７】
先ず、板ばね６の上側板ばね１６は、図１１（ａ）に示すように、略矩形状をしており、レンズ保持部材２に固定される内側部分と、固定側部材ＲＧに固定される外側部分と、内側部分と外側部分との間に位置する４箇所の弾性腕部１６ｇと、を有して構成されている。具体的には、内側部分は、対向した位置に２箇所設けられているとともに、それぞれの内側部分には、レンズ保持部材２の光軸方向ＪＤにおける他端部側（上端部側）に固定される２箇所の第１部分１６ａを有している（合わせて４箇所の第１部分１６ａ）。また、外側部分は、ヨーク４と磁石５とで挟持されて固定される４箇所の第２部分１６ｂと、４箇所の第２部分１６ｂ同士を繋ぐ桟部１６ｒと、を有している。なお、ここでのヨーク４及び磁石５は、固定側部材ＲＧとして機能している。
【００５８】
そして、上側板ばね１６がレンズ駆動装置１０１に組み込まれた際には、図４（ａ）に示すように、第１部分１６ａがレンズ保持部材２の台座部１２ｄに載置され、第１部分１６ａと台座部１２ｄとを接着剤で固定することにより、上側板ばね１６の内側部分がレンズ保持部材２に固定されるようになる。また、図４（ｂ）に示すように、第２部分１６ｂが磁石５の上面と当接し、図示はしていないが、ヨーク４との間に挟持されて、上側板ばね１６の外側部分が固定されるようになる。
【００５９】
また、上側板ばね１６は、図１１（ａ）に示すように、ほぼ線対称の形状に構成しており、第１部分１６ａの２箇所の均等な位置でレンズ保持部材２に固定されているとともに、ベース部材１８と一体化されたヨーク４に対して第２部分１６ｂの４箇所の均等な位置で固定されている。これにより、上側板ばね１６は、レンズ保持部材２をバランス良く空中で支持することができる。
【００６０】
次に、板ばね６の下側板ばね（２６Ａ、２６Ｂ）は、図１１（ｂ）に示すように、それぞれの内側形状が半円形状をしており、レンズ保持部材２の光軸方向ＪＤにおける一端部（下端部）に固定される内側部分と、固定側部材ＲＧに固定される外側部分と、内側部分と外側部分との間に位置する４箇所の弾性腕部２６ｇと、を有して構成されている。
【００６１】
また、下側板ばね（２６Ａ、２６Ｂ）の内側部分は、図１１（ｂ）に示すように、レンズ保持部材２と係合される６箇所の第３部分２６ｃと、３箇所の第３部分２６ｃ間を繋ぐ４つの第１連結部２６ｐと、コイル３の延在部３３と対向する接続板部２６ｈ（図１２を参照）と、を有して構成されている。
【００６２】
そして、この下側板ばね（２６Ａ、２６Ｂ）がレンズ駆動装置１０１に組み込まれた際には、図６及び図８に示すレンズ保持部材２の６つの突設部２ｔが図１１（ｂ）に示す下側板ばね（２６Ａ、２６Ｂ）の第３部分２６ｃに設けられた円形の貫通孔に挿通されて嵌合される。これにより、下側板ばね２６Ａ及び下側板ばね２６Ｂの内側部分がレンズ保持部材２に位置決めされるとともに、レンズ保持部材２に固定される。なお、この際には、レンズ保持部材２の突設部２ｔに熱かしめを施して、より確実に下側板ばね２６Ａ及び下側板ばね２６Ｂをレンズ保持部材２に固定している。
【００６３】
また、下側板ばね（２６Ａ、２６Ｂ）の内側部分の接続板部２６ｈは、図１２に示すように、レンズ駆動装置１０１が組み立てられた際には、レンズ保持部材２の突堤部８２（対向部）と対向するようになってる。これにより、内側部分の接続板部２６ｈの一面（上面）（図１２（ｂ）に示すＺ１方向側の面）が突堤部８２で形成された収容部８２ｓと対向するとともに、板ばね６（下側板ばね２６Ａ、下側板ばね２６Ｂ）内側部分の一面とレンズ保持部材２の対向部（突堤部８２及び収容部８２ｓの内底面）との間に、コイル３の延在部３３の接続部３３ｃが延在するようになる。
【００６４】
そして、内側部分の接続板部２６ｈには、図１２（ａ）に示すように、突堤部８２の開放部８２ｚと対向する位置に、両側から切り欠かれた貫通部２６ｔが設けられているとともに、コイル３の巻き付け部３３ｍと隙間を有した端面側に、巻き付け部３３ｍ側が開放されたＵ字形状（半円形状）の切欠き部２６ｋが設けられている。なお、貫通部２６ｔは、平面視して、突堤部８２の内側壁部８２ｕ及び外側壁部８２ｖの端縁部が臨まれる位置に設けられ、貫通部２６ｔを構成している壁端面２６ｅがこの端縁部に重なって設けられている。また、切欠き部２６ｋは、収容部８２ｓを臨むようにこの収容部８２ｓと対向して形成されている。
【００６５】
また、下側板ばね（２６Ａ、２６Ｂ）がレンズ保持部材２に組み付けられた際には、図１２（ｂ）に示すように、保持部７２を構成する突出部は、その先端が下側板ばね（２６Ａ、２６Ｂ）の接続板部２６ｈ（内側部分）の下面である他面（収容部８２ｓと対向する一面と反対側の面）側に位置するように、内側部分から下方（図１２（ｂ）に示すＺ２方向）に突出している。更に、突出部に巻き付けられた巻き付け部３３ｍの一部も、内側部分から下方（図１２（ｂ）に示すＺ２方向）に位置している。
【００６６】
以上のようにして構成された、板ばね６の下側板ばね（２６Ａ、２６Ｂ）とコイル３の延在部３３とが、合成樹脂中に銀粒子等の導電性フィラーが分散された導電性接着剤ＣＡで電気的に接続されている。具体的な方法は、下側板ばね（２６Ａ、２６Ｂ）をレンズ保持部材２に組み込む前に、先ず、レンズ保持部材２の突堤部８２で囲まれた収容部８２ｓに導電性接着剤ＣＡを充填し、その後、下側板ばね（２６Ａ、２６Ｂ）をレンズ保持部材２に装着する。そして、レンズ保持部材２の突設部２ｔを熱かしめするとともに、導電性接着剤ＣＡを熱硬化する。この導電性接着剤ＣＡの収容部８２ｓへの充填工程ないし導電性接着剤ＣＡの熱硬化工程は、保持部７２（突出部）が上方に突出するようにレンズ保持部材２を逆さまにした状態で行われる。これにより、本発明の第１実施形態では、対向部に突堤部８２を有しているので、導電性接着剤ＣＡを収容部８２ｓ上に充填する際に、流動性を有する導電性接着剤ＣＡを所望の位置（収容部８２ｓ）に保持することができる。このことにより、レンズ保持部材２の対向部と下側板ばね（２６Ａ、２６Ｂ）の内側部分との間に延在している接続部３３ｃがこの収容部８２ｓに配設されて、接続部３３ｃを導電性接着剤ＣＡに確実に埋設させることができる。なお、導電性接着剤ＣＡは、熱硬化型に限らず、紫外線硬化型のものでも構わない。
【００６７】
これにより、従来例のようなコイル端部９３４（コイルの端部）が巻かれた絡げピン９１５の側面と像側バネ部材９１４ｘ（板ばね６に相当）の面との間に導電性接着剤９５５等を配置するような構成でなく、レンズ保持部材２の対向部と板ばね６（下側板ばね２６Ａ及び下側板ばね２６Ｂ）の内側部分との間に、コイル３の延在部３３と板ばね６の内側部分とを電気的に接続する導電性接着剤ＣＡが設けられている構成となる。このため、コイル３の端部をより長く巻き付け電気的な接続を確保するための絡げ部（絡げピン９１５）を設ける必要がない、或いは絡げ部（保持部７２）の突出高さを高くする必要がない。このことにより、レンズ保持部材２の光軸方向ＪＤにおける高さ寸法を小さくすることができ、ひいてはレンズ駆動装置１０１の光軸方向ＪＤにおける高さ寸法を小さくすることができる。
【００６８】
また、対向配置されるレンズ保持部材２の対向部と板ばね６（下側板ばね２６Ａ及び下側板ばね２６Ｂ）の内側部分との間に導電性接着剤ＣＡが設けられて接続されているので、落下等による強い衝撃がレンズ駆動装置１０１に加えられて板ばね６（下側板ばね２６Ａ、下側板ばね２６Ｂ）が変形した際でも、導電性接着剤ＣＡを剥がれにくいものとすることができる。つまり、従来例のような構成では、導電性接着剤９５５等がコイル端部９３４（コイルの端部）が巻かれた絡げピン９１５の側面と像側バネ部材９１４ｘ（板ばね６）の面との間にＬ字状に配置されていると、落下等による強い衝撃がレンズ駆動装置９０１に加えられて像側バネ部材９１４ｘが変形した際には、２つの部材（コイルの端部と板ばね６）の角度が広がるような力が作用し、導電性接着剤９５５等がコイル端部９３４或いは像側バネ部材９１４ｘから剥がれ易くなる。このような課題に対して、本発明の第１実施形態のレンズ駆動装置１０１は、導電性接着剤ＣＡを板ばね６等から引き剥がすような垂直方向（図２に示すＺ方向）の力は作用しにくいため、この剥がれを防止することができ、コイル３と板ばね６との電気的な接続を確実に確保することができる。
【００６９】
更に、延在部３３と板ばね６の内側部分とが、合成樹脂中に導電性フィラーが分散した導電性接着剤ＣＡで電気的に接続されているので、半田でしっかり固定して接続する場合と比較して、接続部分の導電性接着剤ＣＡ層の弾性が高いため、板ばね６の内側部分（接続板部２６ｈ）の僅かな可動を許容している。このため、内側部分に引張力が働いた際に、内側部分の可動で、この引張力を緩和することができる。このことにより、落下等で強い衝撃がレンズ駆動装置１０１に加わった場合でも、内側部分が剥がれるのを防止することができ、コイル３と板ばね６との接続をより確実に確保することができる。更に、接続部分の導電性接着剤ＣＡ層の弾性が高いため、延在部３３の僅かな可動も許容している。このため、延在部３３に引張力が働いた際に、延在部３３の可動で、この引張力を緩和することができる。このことにより、落下等で強い衝撃がレンズ駆動装置１０１に加わった場合でも、延在部３３が切欠部５２ｋのエッジでより一層切断され難いものとすることができる。
【００７０】
また、延在部３３の接続部３３ｃがレンズ保持部材２の対向部（収容部８２ｓの内底面）と下側板ばね（２６Ａ、２６Ｂ）の内側部分（接続板部２６ｈ）との間で導電性接着剤ＣＡに埋設されているので、この接続部３３ｃで、コイル３の延在部３３と板ばね６の内側部分とを確実に導通接続させることができる。
【００７１】
また、突堤部８２に隣接して、レンズ保持部材２の一端部から突堤部８２と同じ方向へ突出する突出部からなる保持部７２を有し、コイル３の延在部３３がこの突出部に巻き付けられているので、延在部３３の巻き付け部３３ｍを容易に保持することができる。しかもコイル３の巻き付け部３３ｍと板ばね６（下側板ばね２６Ａ及び下側板ばね２６Ｂ）の内側部分との間に導電性接着剤ＣＡが設けられており、コイル３の接続部３３ｃに加えてこの巻き付け部３３ｍでも板ばね６と導通接続させることができる。このことにより、導電性接着剤ＣＡに接する延在部３３の面積を広くすることができ、確実に導通接続させることができるとともに、板ばね６とコイル３との導通抵抗を小さくすることができる。
【００７２】
また、本発明の第１実施形態では、板ばね６の接続板部２６ｈには、突堤部８２で形成された収容部８２ｓを臨んだ切欠き部２６ｋが形成されており、この切欠き部２６ｋから導電性接着剤ＣＡが露出している構成となっている。このため、切欠き部２６ｋの端面にも導電性接着剤ＣＡが接することとなり、板ばね６の内側部分とコイル３の延在部３３との電気的な接続が確実なものとなる。
【００７３】
また、収容部８２ｓに導電性接着剤ＣＡを充填して、その後に板ばね６（下側板ばね２６Ａ及び下側板ばね２６Ｂ）をレンズ保持部材２に装着する場合には、導電性接着剤ＣＡの充填量がばらついても、この切欠き部２６ｋによりその量のばらつきを吸収できる。つまり、導電性接着剤ＣＡが多い場合には、切欠き部２６ｋから導電性接着剤ＣＡが板ばね６の内側部分（接続板部２６ｈ）の他面側に流れ出させることが可能である。更に、切欠き部２６ｋの部分を確認することで、導電性接着剤ＣＡが適切に設けられているか否かを確認することができる。
【００７４】
更に、本発明の第１実施形態のように、切欠き部２６ｋが保持部７２（側壁部８２ｗ）側に位置し巻き付け部３３ｍと隣り合う場合には、板ばね６の内側部分（接続板部２６ｈ）の他面側にまで導電性接着剤ＣＡを設ける、或いは流れ出させることで、コイル３の延在部３３と板ばね６の内側部分とをより一層確実に導通接続させることができる。更に、導電性接着剤ＣＡに接する延在部３３の面積をより広くすることができ、板ばね６とコイル３の延在部３３との導通抵抗をより小さくすることができる。
【００７５】
更に、収容部８２ｓに導電性接着剤ＣＡを充填して、その後に板ばね６（下側板ばね２６Ａ及び下側板ばね２６Ｂ）をレンズ保持部材２に配置した場合に、巻き付け部３３ｍ側に向けて開放された切欠き部２６ｋが内側部分（接続板部２６ｈ）に形成されているので、導電性接着剤ＣＡが巻き付け部３３ｍ側に押し出されるため、内側部分の端面（切欠き部２６ｋの端面を含む）と巻き付け部３３ｍとの間に導電性接着剤ＣＡを確実に設けることができ、板ばね６の内側部分とコイル３の延在部３３との導通抵抗を下げてより確実に電気的に接続することができる。
【００７６】
また、突堤部８２は、内側壁部８２ｕと外側壁部８２ｖとの間隔が、保持部７２（７２Ａ、７２Ｂ）側の一方側よりも開放部８２ｚ側の他方側の方が狭くなるように形成されている。このため、より多くの導電性接着剤ＣＡを巻き付け部３３ｍ側に設けることができるので、コイル３と板ばね６間の導通抵抗をより小さくすることができる。しかも、開放部８２ｚ側が狭く形成され、開放部８２ｚに延在部３３（接続部３３ｃ）が挿通されているので、収容部８２ｓに充填された導電性接着剤ＣＡが開放部８２ｚを介して流れ出し難くすることができる。
【００７７】
また、図１２（ａ）に示すように、開放部８２ｚ（図９（ａ）を参照）と対向する位置における内側部分には、貫通部２６ｔが設けられているので、仮に導電性接着剤ＣＡが保持部７２から離れる方向へ移動して開放部８２ｚから流れ出そうとしても、貫通部２６ｔを構成する壁端面２６ｅでそれ以上の流れ出しを食い止めることができる。
【００７８】
一方、下側板ばね（２６Ａ、２６Ｂ）の外側部分は、図１１（ｂ）に示すように、ベース部材１８と係合される４箇所の第４部分２６ｄと、２箇所の第４部分２６ｄ同士を繋ぐ２つの第２連結部２６ｑと、を有して構成されている。なお、言うまでもないが、下側板ばね（２６Ａ、２６Ｂ）の外側部分は、図１０（ａ）に示すように、内側部分よりもレンズ保持部材２の中心からの距離が大きく、内側部分の外側に位置している。
【００７９】
そして、下側板ばね（２６Ａ、２６Ｂ）の第４部分２６ｄに設けられた６つの貫通孔に、後述するベース部材１８の上面に設けられた６つの突設部１８ｔ（図１３を参照）が挿通されて嵌合される。これにより、下側板ばね２６Ａ及び下側板ばね２６Ｂの外側部分がベース部材１８に位置決めされるとともに、固定側部材ＲＧであるベース部材１８に固定される。
【００８０】
また、下側板ばね２６Ａと下側板ばね２６Ｂとは、図１１（ｂ）に示すように、ほぼ線対称の形状に構成しており、レンズ保持部材２に対して第３部分２６ｃの４箇所の対称な位置で接続されているとともに、ベース部材１８に対して第４部分２６ｄの４箇所の均等な位置で接続されている。これにより、レンズ保持部材２をバランス良く空中で支持することができる。従って、以上のように構成された板ばね６（上側板ばね１６、下側板ばね２６Ａ及び下側板ばね２６Ｂ）により、レンズ保持部材２を光軸方向ＪＤへ移動可能に支持している。
【００８１】
最後に、レンズ駆動装置１０１の固定側部材ＲＧについて説明する。
【００８２】
レンズ駆動装置１０１の固定側部材ＲＧは、上側板ばね１６の第２部分１６ｂを固定するヨーク４及び磁石５と、下側板ばね（２６Ａ、２６Ｂ）の第４部分２６ｄを固定するベース部材１８と、を有して構成されている。ここでは、上側板ばね１６の固定側部材ＲＧについては、駆動機構ＭＫでもあるヨーク４及び磁石５の項目で前述したので説明を省略し、下側板ばね（２６Ａ、２６Ｂ）の固定側部材ＲＧについてのみ説明する。
【００８３】
固定側部材ＲＧのベース部材１８は、液晶ポリマー（ＬＣＰ）等の合成樹脂を用いて射出成形して作製されており、図１及び図１３に示すように、外形が矩形の板状形状で構成され、中央に円形の開口１８ｋが形成されている。また、ベース部材１８の上面には、上方に向けて突出する６つの突設部１８ｔが四隅に設けられている。そして、下側板ばね（２６Ａ、２６Ｂ）の第４部分２６ｄに設けられた貫通孔に、ベース部材１８の上面に設けられた突設部１８ｔが挿通されて、貫通孔と突設部１８ｔとが嵌合される。なお、この際には、ベース部材１８の突設部１８ｔに熱かしめを施して、より確実に下側板ばね２６Ａ及び下側板ばね２６Ｂをベース部材１８に固定している。
【００８４】
ベース部材１８には、図１及び図１３に示すように、銅や鉄若しくはそれらを主成分とした合金等の材質を用いた金属板からなる端子７が、インサート成形されて埋め込まれている。そして、電気的に絶縁された２つの端子７（端子７Ａ及び端子７Ｂ）のそれぞれは、図示していない撮像素子を実装した基板と電気的に接続され、この２つの端子７から電力を供給できるようになっている。そして、端子７の一方の端子７Ａは、下側板ばね２６Ａと電気的に接続されるとともに、端子７の他方の端子７Ｂは、下側板ばね２６Ｂと電気的に接続されており、この端子７Ａ及び端子７Ｂから、下側板ばね２６Ａ及び下側板ばね２６Ｂを介して、コイル３に電流を流すことができる。
【００８５】
また、ベース部材１８には、詳細な図示はしていないが、銅や鉄若しくはそれらを主成分とした合金等の材質を用いた金属板からなる接続部材５７も、端子７と同様に、インサート成形されて埋め込まれており、接続部材５７の一部は、図２に示すように、ヨーク４の四隅に一部を露出している。そして、ヨーク４の外ヨーク４Ａの内壁とベース部材１８の外周側面が組み合わさって位置決めされた後に、ベース部材１８の接続部材５７とヨーク４の四隅とのつなぎ目部分を４箇所溶接して、ヨーク４をベース部材１８に固定している。
【００８６】
以上のように構成された本発明の第１実施形態のレンズ駆動装置１０１における、効果について、以下に纏めて説明する。なお、本発明の第１実施形態における下側板ばね２６Ａが本発明の“板ばね”に相当する。
【００８７】
本発明の第１実施形態のレンズ駆動装置１０１は、レンズ保持部材２の鍔状部５２には切欠部５２ｋの一部を塞ぐように形成された弾性変形部６２を有し、保持部７２（７２Ａ）に一部が保持されたコイル３の延在部３３（３３Ａ）が、切欠部５２ｋを介して巻回部１３側に延在しているとともに、弾性変形部６２に当接して設けられている構成とした。これにより、落下等により強い衝撃がレンズ駆動装置１０１に加えられた際には、コイル３の延在部３３（３３Ａ）がレンズ保持部材２の弾性変形部６２に押し付けられるようになる。このため、この弾性変形部６２が、弾性変形して延在部３３（３３Ａ）にかかる衝撃を吸収することとなる。このことにより、延在部３３（３３Ａ）が切欠部５２ｋのエッジで切断され難いものとすることができ、コイル３が断線し難いレンズ駆動装置１０１を提供することができる。
【００８８】
また、弾性変形部６２が鍔状部５２と一体で形成されているので、例えば射出成形等を用いて形成することができる。しかも鍔状部５２よりも肉薄に形成された薄肉部６２ｑを、別部品を用いることなく、切欠部５２ｋの一部を塞ぐように配設することができる。このことにより、容易に弾性変形部６２を作製することができる。
【００８９】
また、弾性変形部６２の薄肉部６２ｑが、隣接して互いに交差する二辺の位置に形成された連結部６２ｒで、鍔状部５２に繋がっているので、落下等により強い衝撃がレンズ駆動装置１０１に加えられて、コイル３の延在部３３Ａが弾性変形部６２に強く押し付けられたとしても、この薄肉部６２ｑを二辺（連結部６２ｒ）で支えて衝撃を受けることができる。このことにより、弾性変形部６２の薄肉部６２ｑが鍔状部５２から破断して脱落するのを防止することができる。
【００９０】
また、巻回部１３の内周側に位置する一方の端部に繋がっている延在部３３Ａ（コイル３の巻初め側に繋がっている延在部３３Ａ）は、巻回部１３の外周側に位置する他方の端部に繋がっている延在部３３Ｂ（コイル３の巻終わり側に繋がっている延在部３３Ｂ）と比較して、切欠部５２ｋのエッジ部分での屈曲角度が狭くなっている。このため、コイル３の巻き始め側の延在部３３Ａと切欠部５２ｋのエッジ部分とが当接する力がより強くなるので、この部分に弾性変形部６２を設けることで、切欠部５２ｋのエッジ部分から延在部３３Ａに力が加わるのをより効果的に緩和することができる。このことにより、落下等で強い衝撃がレンズ駆動装置１０１に加わった場合でも、巻回部１３の内周側に繋がる延在部３３Ａが切欠部５２ｋのエッジでより切断され難いものとすることができる。
【００９１】
また、延在部３３（３３Ａ）と板ばね６（下側板ばね２６Ａ）の内側部分とが、合成樹脂中に導電性フィラーが分散した導電性接着剤ＣＡで電気的に接続されているので、半田でしっかり固定して接続する場合と比較して、接続部分の導電性接着剤ＣＡ層の弾性が高いため、延在部３３（３３Ａ）の僅かな可動を許容している。このため、延在部３３（３３Ａ）に引張力が働いた際に、延在部３３（３３Ａ）の可動で、この引張力を緩和することができる。このことにより、落下等で強い衝撃がレンズ駆動装置１０１に加わった場合でも、延在部３３（３３Ａ）が切欠部５２ｋのエッジでより一層切断され難いものとすることができる。
【００９２】
また、延在部３３（３３Ａ）の接続部３３ｃ及び巻き付け部３３ｍが、導電性接着剤ＣＡによって板ばね６（下側板ばね２６Ａ）の内側部分（接続板部２６ｈ）に電気的に接続されるので、コイル３と板ばね６（下側板ばね２６Ａ）との電気的な接続に関わる導通面積を増やすことができる。このことにより、コイル３と板ばね６（下側板ばね２６Ａ）との導通抵抗を小さくして両者を導通させることができる。
【００９３】
なお、本発明は上記実施形態に限定されるものではなく、例えば次のように変形して実施することができ、これらの実施形態も本発明の技術的範囲に属する。
【００９４】
＜変形例１＞
上記第１実施形態では、コイル３の延在部３３が、コイル３の巻回部１３側に延在する際に、レンズ保持部材２の弾性変形部６２に当接して構成したが、延在部３３が弾性変形部６２に当接可能に設けられていれば良く、延在部３３と弾性変形部６２とが対向して離間していても良い。
【００９５】
＜変形例２＞
上記第１実施形態では、巻回部１３の内周側に位置する延在部３３Ａに弾性変形部６２を好適に設ける構成としたが、これに限るものではなく、巻回部１３の外周側に位置する延在部３３Ｂ側に設けても良く、両側に設けても良い。
【００９６】
＜変形例３＞
上記第１実施形態では、保持部７２がレンズ保持部材２（鍔状部５２）の一端部から光軸方向ＪＤに突出する突出部から構成されていたが、これに限るものではない。例えば側方に突出する突出部でも良いし、突出させないフック部でも良い。
【００９７】
＜変形例４＞
上記第１実施形態では、弾性変形部６２を鍔状部５２の一面側から延設して設けた構成としたが、これに限るものではなく、鍔状部５２の他面側から延設して設けても良く、切欠部５２ｋに臨む面から延設して良い。
【００９８】
＜変形例５＞
上記第１実施形態では、鍔状部５２には、コイル３の延在部３３を通す切欠部５２ｋを２つ設けた構成としたが、コイル３の巻回部１３を保持可能であれば、３つ以上の切欠部を有する鍔状部としても良い。
【００９９】
＜変形例６＞
上記第１実施形態では、下側板ばね（２６Ａ、２６Ｂ）を２つに分割して一対とし、コイル３の延在部３３（３３Ａ、３３Ｂ）のそれぞれと電気的に接続する構成としたが、これに限るものではない。例えば、手振れ補正機能付きのレンズ駆動装置においては、上側板ばねを２つに分割して一対とし、コイル３の延在部３３（３３Ａ、３３Ｂ）のそれぞれと電気的に接続する構成でも良い。この場合には、レンズ保持部材の上端部側に切欠部を有する鍔状部を設け、この切欠部の一部を塞ぐように、延在部と当接可能な弾性変形部を設けるようにする。
【０１００】
本発明は上記実施の形態に限定されず、本発明の目的の範囲を逸脱しない限りにおいて適宜変更することが可能である。
【符号の説明】
【０１０１】
２      レンズ保持部材
３      コイル
５２    鍔状部
５２ｋ  切欠部
６２    弾性変形部
６２ｑ  薄肉部
６２ｒ  連結部
７２、７２Ａ、７２Ｂ  保持部
８２    突堤部
８２ｓ  収容部
８２ｚ  開放部
１３    巻回部
３３、３３Ａ、３３Ｂ  延在部
３３ｃ  接続部
３３ｍ  巻き付け部
４      ヨーク
５      磁石
６  板ばね（２６Ａ、２６Ｂ  下側板ばね）
２６ｃ  第３部分（内側部分）
２６ｄ  第４部分（外側部分）
２６ｈ  接続板部（内側部分）
２６ｋ  切欠き部
２６ｔ  貫通部
ＭＫ    駆動機構
ＲＧ    固定側部材
ＣＡ    導電性接着剤
ＪＤ    光軸方向
１０１  レンズ駆動装置
【図１】
0006392698.tif 000002
【図２】
0006392698.tif 000003
【図３】
0006392698.tif 000004
【図４】
0006392698.tif 000005
【図５】
0006392698.tif 000006
【図６】
0006392698.tif 000007
【図７】
0006392698.tif 000008
【図８】
0006392698.tif 000009
【図９】
0006392698.tif 000010
【図１０】
0006392698.tif 000011
【図１１】
0006392698.tif 000012
【図１２】
0006392698.tif 000013
【図１３】
0006392698.tif 000014
【図１４】
0006392698.tif 000015
【図１５】
0006392698.tif 000016